(57)【要約】【課題】ＬＥＤ電流が小さい場合でも高精度に調光できるＬＥＤ駆動装置及び制御回路。【解決手段】入力される電力を制御型パワー素子Ｑ１を動作させて所望の電力に変換しＬＥＤ負荷５に直流電流を供給するコンバータと、直流電流を制御するための調光信号を入力し、調光信号のレベルが低いとき増幅率を大きくし且つ調光信号のレベルが高いとき増幅率を小さくするための増幅率制御信号を出力するＣＰＵ１２と、ＣＰＵからの増幅率制御信号に基づき調光信号のレベルに応じた増幅率で、ＬＥＤ負荷に流れる直流電流に基づく電圧を増幅する電圧バッファアンプ１１と、電圧バッファアンプで増幅された電圧に基づき制御型パワー素子Ｑ１を動作させるＰＷＭ回路１６とを備える。【選択図】図１
2019067557.tif 000002
【特許請求の範囲】
【請求項１】
制御型パワー素子を有し、入力される電力を前記制御型パワー素子を動作させて所望の電力に変換し、ＬＥＤに直流電流を供給するコンバータと、
前記直流電流を制御するための調光信号を入力し、調光信号のレベルが低いとき増幅率を大きくし且つ前記調光信号のレベルが高いとき前記増幅率を小さくするための増幅率制御信号を出力する増幅率制御部と、
前記増幅率制御部からの増幅率制御信号に基づき前記調光信号のレベルに応じた前記増幅率で、前記ＬＥＤに流れる直流電流に基づく電圧を増幅する増幅器と、
前記増幅器で増幅された電圧に基づき前記制御型パワー素子を動作させる動作制御部と、
を備えることを特徴とするＬＥＤ駆動装置。
【請求項２】
オフセット電圧を出力する電圧オフセット回路を備え、
前記増幅器は、前記電圧オフセット回路から出力されるオフセット電圧と前記ＬＥＤに流れる直流電流に基づく電圧とを入力することを特徴とする請求項１記載のＬＥＤ駆動装置。
【請求項３】
前記増幅器で増幅された電圧から前記オフセット電圧を差し引いてオフセット補正を行う演算部を備えることを特徴とする請求項２記載のＬＥＤ駆動装置。
【請求項４】
前記演算部は、前記増幅率制御部からの前記調光信号のレベルに応じた前記増幅率に基づき前記増幅器で増幅された電圧を補正することを特徴とする請求項３記載のＬＥＤ駆動装置。
【請求項５】
制御型パワー素子を有するコンバータの出力に接続されるＬＥＤに流れる直流電流を制御するための調光信号を入力し、調光信号のレベルが低いとき増幅率を大きくし且つ前記調光信号のレベルが高いとき前記増幅率を小さくするための増幅率制御信号を出力する増幅率制御部と、
前記増幅率制御部からの増幅率制御信号に基づき前記調光信号のレベルに応じた前記増幅率で、前記ＬＥＤに流れる直流電流に基づく電圧を増幅する増幅器と、
前記増幅器で増幅された電圧に基づき前記制御型パワー素子を動作させる動作制御部と、
を備えることを特徴とする制御回路。
【請求項６】
前記増幅器は、電圧オフセット回路から出力されるオフセット電圧と前記ＬＥＤに流れる直流電流に基づく電圧とを入力することを特徴とする請求項５記載の制御回路。
【請求項７】
前記増幅器で増幅された電圧から前記オフセット電圧を差し引いてオフセット補正を行う演算部を備えることを特徴とする請求項６記載の制御回路。
【請求項８】
前記演算部は、前記増幅率制御部からの前記調光信号のレベルに応じた前記増幅率に基づき前記増幅器で増幅された電圧を補正することを特徴とする請求項７記載の制御回路。
【発明の詳細な説明】
【技術分野】
【０００１】
本発明は、ＬＥＤ電流を精度よく検出することができるＬＥＤ駆動装置及び制御回路に関する。
【背景技術】
【０００２】
従来のこの種のＬＥＤ駆動装置として、特許文献１が知られている。特許文献１に記載されたバックライト駆動回路には、バックライト（ＬＥＤ）に流れる電流に基づくフィードバック電圧を基準電圧と比較し、比較結果の大きさに基づき増幅係数及び増幅速度を調整する誤差増幅器ユニットが記載されている。即ち、フィードバック電圧と基準電圧との差の絶対値が大きいほど、誤差増幅器ユニットは、ディスプレイ装置の応答速度を調整することができる。
【先行技術文献】
【特許文献】
【０００３】
【特許文献１】特表２０１７−５０１５４０号公報
【発明の概要】
【発明が解決しようとする課題】
【０００４】
特許文献１に記載されたバックライト駆動回路においては、ＬＥＤ電流が最大で数百ｍＡ〜数Ａになるが、調光時にはＬＥＤ電流が最小で数ｍＡ〜数十ｍＡとなる。このため、電流検出抵抗に発生する電圧は、調光時には数ｍＶ〜数十ｍＶとなり、電圧の検出及び高精度の調光が困難になる。電流検出抵抗を大きくすることで、検出電圧を大きくすることができるが、回路の損失が増加する。
【０００５】
本発明の課題は、ＬＥＤ電流が小さい場合でも高精度に調光することができるＬＥＤ駆動装置及び制御回路を提供することにある。
【課題を解決するための手段】
【０００６】
本発明に係るＬＥＤ駆動装置は、制御型パワー素子を有し、入力される電力を前記制御型パワー素子を動作させて所望の電力に変換し、ＬＥＤに直流電流を供給するコンバータと、前記直流電流を制御するための調光信号を入力し、調光信号のレベルが低いとき増幅率を大きくし且つ前記調光信号のレベルが高いとき前記増幅率を小さくするための増幅率制御信号を出力する増幅率制御部と、前記増幅率制御部からの増幅率制御信号に基づき前記調光信号のレベルに応じた前記増幅率で、前記ＬＥＤに流れる直流電流に基づく電圧を増幅する増幅器と、前記増幅器で増幅された電圧に基づき前記制御型パワー素子を動作させる動作制御部とを備えることを特徴とする。
【０００７】
制御回路は、制御型パワー素子を有するコンバータの出力に接続されるＬＥＤに流れる直流電流を制御するための調光信号を入力し、調光信号のレベルが低いとき増幅率を大きくし且つ前記調光信号のレベルが高いとき前記増幅率を小さくするための増幅率制御信号を出力する増幅率制御部と、前記増幅率制御部からの増幅率制御信号に基づき前記調光信号のレベルに応じた前記増幅率で、前記ＬＥＤに流れる直流電流に基づく電圧を増幅する増幅器と、前記増幅器で増幅された電圧に基づき前記制御型パワー素子を動作させる動作制御部とを備えることを特徴とする。
【発明の効果】
【０００８】
本発明のＬＥＤ駆動装置及び制御回路によれば、誤差増幅器は、増幅率制御部からの増幅率制御信号に基づき調光信号のレベルが低いとき増幅率を大きくし且つレベルが高いとき増幅率を小さくして、ＬＥＤに流れる直流電流に基づく電圧を増幅する。
【０００９】
このため、調光信号のレベルが低いとき、即ち、ＬＥＤ電流が小さいとき、増幅率を大きくすることで、高精度に電圧を取り込むことができる。従って、ＬＥＤ電流が小さい場合でも高精度に調光することができる。
【図面の簡単な説明】
【００１０】
【図１】本発明の実施例１に係るＬＥＤ駆動装置の構成図である。
【図２】実施例１に係るＬＥＤ駆動装置に電圧オフセット回路が有りと無しにおけるＬＥＤ電流と検出端子電圧との関係を示す図である。
【図３】実施例１に係るＬＥＤ駆動装置に電圧オフセット回路が有る場合で且つＬＥＤ電流が電流閾値Ｉｔｈになったときに電圧バッファアンプのゲインを切り替えたときのＬＥＤ電流と検出端子電圧との関係を示す図である。
【図４】実施例１に係るＬＥＤ駆動装置の調光信号のデューティがデューティ閾値Ｄｔｈになったときにゲインが切り替わる電圧バッファアンプの特性を示す図である。
【図５】実施例１に係るＬＥＤ駆動装置に電圧オフセット回路が有る場合に、ＬＥＤ電流に対する検出電圧とアンプゲインとの関係を示す図である。
【図６】本発明の実施例２に係るＬＥＤ駆動装置の構成図である。
【発明を実施するための形態】
【００１１】
以下、本発明の実施の形態のＬＥＤ駆動装置及び制御回路について、図面を参照しながら詳細に説明する。
【００１２】
（実施例１）
図１は、本発明の実施例１に係るＬＥＤ駆動装置の構成図である。実施例１に係るＬＥＤ駆動装置は、交流電源１、全波整流回路２、ＰＦＣ回路３、トランスＴ、制御型パワー素子Ｑ１、整流平滑回路４、ＬＥＤ負荷５、電流検出抵抗Ｒｓ、抵抗Ｒｂ、コンデンサＣ２、電圧オフセット回路６、制御回路１０を備えている。
【００１３】
制御回路１０は、マイクロコンピュータからなり、電圧バッファアンプ１１、ＣＰＵ（中央処理装置）１２、Ａ／Ｄコンバータ１３、デジタルシグナルプロセッサ（ＤＳＰ）１４、ＰＷＭ回路１６を備えている。
【００１４】
全波整流回路２は、ダイオードブリッジからなり、交流電源１からの交流電圧を全波整流して、全波整流電圧をＰＦＣ回路３に出力する。ＰＦＣ回路３は、図示しないが、昇圧リアクトルにスイッチング素子を接続し、昇圧リアクトルとスイッチング素子との接続点にダイオードの一端を接続し、ダイオードの他端にコンデンサとＰＦＣ制御回路とが接続されて構成される。ＰＦＣ制御回路は、コンデンサからの出力と全波整流回路２からの全波整流電圧とに基づきスイッチング素子をオンオフ制御して、力率を改善する。ＰＦＣ回路３は、省略されてもよい。
【００１５】
トランスＴは、互いに電磁結合する一次巻線Ｐと二次巻線Ｓとを有している。一次巻線Ｐの一端は、ＰＦＣ回路３のダイオードの他端に接続され、一次巻線Ｐの他端は、ＭＯＳＦＥＴからなる制御型パワー素子Ｑ１のドレインに接続される。制御型パワー素子Ｑ１のソースは、接地され、ゲートは制御回路１０に接続されている。制御型パワー素子Ｑ１は、ＭＯＳＦＥＴに限らず、ゲート電圧やベース電流を調整することにより流れる電流を制御できるトランジスタ素子であれば適用可能である。
【００１６】
制御型パワー素子Ｑ１とトランスＴとは、本発明のコンバータを構成し、このコンバータは、トランスＴの一次巻線Ｐに入力される電力を制御型パワー素子Ｑ１をオンオフさせて所望の電力に変換し、トランスＴの二次巻線Ｓからの電力によりＬＥＤ負荷５に直流電流（ＬＥＤ電流）を供給する。コンバータの回路方式は、昇圧チョッパ、降圧チョッパ、昇降圧チョッパのようにトランスＴを含まない、あるいは、ドロッパのように制御型パワー素子をオンオフさせない周知の方式であってもよい。
【００１７】
二次巻線Ｓには、ダイオードＤ１とコンデンサＣ１とからなる整流平滑回路４が接続される。整流平滑回路４は、二次巻線Ｓに発生した電圧をダイオードＤ１とコンデンサＣ１とにより整流平滑して整流平滑電圧をＬＥＤ負荷５に供給する。ＬＥＤ負荷５は、直列に接続された複数のＬＥＤからなる。
【００１８】
ＬＥＤ負荷５の一端には、ＬＥＤ負荷５に流れる電流を検出する電流検出抵抗Ｒｓの一端と抵抗Ｒｂの一端とが接続され、抵抗Ｒｂの他端にはコンデンサＣ２の一端が接続され、コンデンサＣ２の他端には電流検出抵抗Ｒｓの他端が接続されている。
【００１９】
抵抗Ｒｂの他端とコンデンサＣ２の一端には、抵抗Ｒａの一端が接続され、抵抗Ｒａの他端には電源Ｖｒの電圧が印加されている。電圧オフセット回路６は、電源Ｖｒと抵抗Ｒａとからなり、電源電圧Ｖｒと抵抗Ｒａと抵抗Ｒｂとによりオフセット電圧を生成し、オフセット電圧を電圧バッファアンプ１１に出力する。
【００２０】
ＣＰＵ１２は、本発明の増幅率制御部に対応し、端子Ｔ１からＬＥＤ電流を制御するためのディミング信号（調光信号）を入力し、ディミング信号のデューティが小さい（レベルが低い）とき増幅率（ゲイン）を大きくし且つデューティが大きい（レベルが高い）とき増幅率を小さくするための増幅率制御信号を電圧バッファアンプ１１に出力する。ディミング信号のレベルは、電圧パルスのデューティ比のほかシリアルデータの大小あるいは直流電圧の高低で表現され得るが、これらに限定されない。
【００２１】
電圧バッファアンプ１１は、本発明の増幅器に対応し、電圧オフセット回路６から出力されるオフセット電圧とＬＥＤ負荷５に流れるＬＥＤ電流に基づく電流検出抵抗Ｒｓの電圧とを加算して入力し、加算して得られた電圧Ｖｆｂと基準電圧との誤差電圧を、ＣＰＵ１２からの増幅率制御信号に基づきデューティに応じた増幅率で増幅する。
【００２２】
Ａ／Ｄコンバータ１３は、電圧バッファアンプ１１からの増幅された誤差電圧をデジタル信号に変換し、デジタル信号をＤＳＰ１４に出力する。ＤＳＰ１４は、本発明の演算部に対応し、オフセット電圧および増幅率を記憶するオフセットレジスタ１５を有する。ＤＳＰ１４は、オフセットレジスタ１５からオフセット電圧を読み出し、電圧バッファアンプ１１からの誤差電圧からオフセット電圧を差し引いてオフセット補正を行う。
【００２３】
また、ＤＳＰ１４は、ＣＰＵ１２から入力される増幅率制御信号に同期した信号に基づき、ディミング信号のデューティに応じた増幅率に基づき電圧バッファアンプ１１で増幅された誤差電圧を補正する。
【００２４】
ＰＷＭ回路１６は、本発明の動作制御部に対応し、ＤＳＰ１４からの補正された電圧に基づきＰＷＭ信号を生成し、制御型パワー素子Ｑ１のゲートにＰＷＭ信号を印加することにより、制御型パワー素子Ｑ１をオンオフさせる。即ち、制御回路１０は、ディミング信号のレベルが高い場合、ＬＥＤ負荷５に流れる直流電流を大きくするように制御型パワー素子Ｑ１を制御し、ディミング信号のレベルが低い場合、ＬＥＤ負荷５に流れる直流電流を小さくするように制御型パワー素子Ｑ１を制御する。
【００２５】
次に、このように構成された実施例１のＬＥＤ駆動装置及び制御回路の動作を、図面を参照しながら詳細に説明する。
【００２６】
まず、全波整流回路２は、交流電源１からの交流電圧を全波整流して、全波整流電圧をＰＦＣ回路３を介してトランスＴの一次巻線Ｐに供給する。制御型パワー素子Ｑ１は、制御回路１０からのＰＷＭ信号によりオンオフして、トランスＴの一次巻線Ｐに入力される電力を所望の電力に変換する。トランスＴの二次巻線Ｓからの電力によりＬＥＤ負荷５及び電流検出抵抗Ｒｓに直流電流（ＬＥＤ電流）が流れる。
【００２７】
電流検出抵抗Ｒｓに発生した電圧Ｖｓは、抵抗Ｒｂを介して電圧バッファアンプ１１に入力される。また、電圧オフセット回路６からのオフセット電圧が抵抗Ｒａを介して電圧バッファアンプ１１に入力される。
【００２８】
ここで、図２を用いて、ＬＥＤ駆動装置に電圧オフセット回路６が有る場合と無い場合におけるＬＥＤ電流と検出端子電圧との関係を示す。
【００２９】
まず、電圧オフセット回路６が無い場合には、電流検出抵抗Ｒｓに発生した電圧Ｖｓが電圧バッファアンプ１１の入力電圧Ｖｆｂとなる。この場合には、ＬＥＤ電流がゼロの場合には、検出端子電圧Ｖｆｂ（入力電圧Ｖｆｂに対応）はゼロとなる。このため、電圧バッファアンプ１１は、検出端子電圧ＶｆｂがゼロＶまで動作する必要があり、電圧バッファアンプ１１のアンプ特性の良い部分が使用できなくなる。
【００３０】
このため、実施例１では、電圧オフセット回路６を設けている。電圧オフセット回路６を設けた場合の検出端子電圧Ｖｆｂは、以下の式（１）で求められる。
Ｖｆｂ＝（Ｖｒ−Ｖｓ）×Ｒｂ／（Ｒａ＋Ｒｂ）＋Ｖｓ＝｛Ｒａ／（Ｒａ＋Ｒｂ）×Ｖｓ｝＋｛Ｒｂ／（Ｒａ＋Ｒｂ）×Ｖｒ｝…      （１）
ここで、抵抗Ｒｓの値は、抵抗Ｒａの値と抵抗Ｒｂの値とに比較して非常に小さいので、検出端子電圧Ｖｆｂの計算では、抵抗Ｒｓは無いとしている。
【００３１】
また、抵抗Ｒａの値と抵抗Ｒｂの値と電源電圧Ｖｒの値は、定数であるので、式（１）の１項は電圧Ｖｓに比例し、２項は定数となる。
【００３２】
図２に示すように、電圧オフセット回路６が有る場合には、ＬＥＤ電流がゼロのときに検出端子電圧Ｖｆｂがオフセット電圧｛Ｒｂ／（Ｒａ＋Ｒｂ）×Ｖｒ｝となる。
【００３３】
また、検出端子電圧Ｖｆｂは、オフセット電圧を有しつつ、電圧Ｖｓに比例した電圧となる。オフセット電圧があることで、電圧Ｖｓがゼロのときでも、検出端子電圧Ｖｆｂは、一定の電圧を確保できるため、電圧バッファアンプ１１は、ゼロＶ付近まで動作する必要がなくなる。検出端子電圧Ｖｆｂは、電圧Ｖｓに比例して変化するため、そのまま電流制御に使用することができる。
【００３４】
また、抵抗Ｒａの値と抵抗Ｒｂの値と電源電圧Ｖｒの値は、既知の値であるので、オフセット電圧｛Ｒｂ／（Ｒａ＋Ｒｂ）×Ｖｒ｝は予め求められる。このオフセット電圧の値がオフセットレジスタ１５に格納されているので、ＤＳＰ１４は、オフセットレジスタ１５からオフセット電圧を読み出し、電圧バッファアンプ１１からの誤差電圧からオフセット電圧を差し引いてオフセット補正を容易に行うことができる。
【００３５】
次に、電圧オフセット回路６が有る場合の電圧バッファアンプ１１の動作を図３〜図５を参照しながら詳細に説明する。
【００３６】
まず、ＣＰＵ１２は、図４に示すように、ディミング信号のデューティがデューティ閾値Ｄｔｈ（電流閾値Ｉｔｈに対応）よりも小さいとき増幅率（ゲイン）を大きくし且つデューティがデューティ閾値Ｄｔｈよりも大きいとき増幅率を小さくするための増幅率制御信号を電圧バッファアンプ１１に出力する。
【００３７】
電圧バッファアンプ１１は、電圧オフセット回路６から出力されるオフセット電圧とＬＥＤ負荷５に流れるＬＥＤ電流に基づく電流検出抵抗Ｒｓの電圧Ｖｓとを加算して入力し、加算して得られた電圧Ｖｆｂと基準電圧との誤差電圧を、ＣＰＵ１２からの増幅率制御信号に基づきデューティに応じた増幅率で増幅する。
【００３８】
即ち、電圧バッファアンプ１１は、図３に示すように、ＬＥＤ電流が電流閾値Ｉｔｈよりも小さいときには、式（１）で求められる検出端子電圧ＶｆｂをＡ倍（Ａ＞１）する。このとき、電圧バッファアンプ１１から出力される検出電圧ＶＡＤは、式（２）で表される。
【００３９】
ＶＡＤ＝｛Ｒａ／（Ｒａ＋Ｒｂ）×Ｖｓ×Ａ｝＋｛Ｒｂ／（Ｒａ＋Ｒｂ）×Ｖｒ×Ａ｝                                    …（２）
また、電圧バッファアンプ１１は、図３に示すように、ＬＥＤ電流が電流閾値Ｉｔｈよりも大きいときには、式（１）で求められる検出端子電圧Ｖｆｂを検出電圧ＶＡＤとして出力する。
【００４０】
即ち、ＬＥＤ電流が電流閾値Ｉｔｈよりも小さいときは、ゲインを大きくして、検出電圧ＶＡＤを大きくする。これにより、高精度に電圧を取り込むことができる。従って、ＬＥＤ電流が小さい場合でも高精度に調光することができる。また、ＬＥＤ電流が電流閾値Ｉｔｈよりも大きいときは、ゲインを小さくして、検出電圧ＶＡＤを小さくすることで、ＶＡＤがＡ／Ｄコンバータ１３ａの入力電圧範囲を超えることを防止している。これにより、ＬＥＤ電流が大きい場合でも高精度に調光することができる。
【００４１】
なお、図５に、電圧オフセット回路６が有る場合に、ＬＥＤ電流に対する検出電圧ＶＡＤとアンプゲインとの関係を示した。
【００４２】
また、ＤＳＰ１４は、ＣＰＵ１２からのディミング信号のデューティに応じた増幅率に基づき、電圧バッファアンプ１１で増幅された誤差電圧を補正する。図３に示す例では、ＬＥＤ電流が電流閾値Ｉｔｈよりも小さいときには、式（１）で求められる検出端子電圧ＶｆｂをＡ倍して検出電圧ＶＡＤとして出力したので、ＤＳＰ１４は、電圧バッファアンプ１１で増幅された誤差電圧を１／Ａ倍して誤差電圧を補正する。
【００４３】
また、ＬＥＤ電流が電流閾値Ｉｔｈよりも大きいときには、式（１）で求められる検出端子電圧Ｖｆｂを検出電圧ＶＡＤとして出力したので、誤差電圧を補正しない。これにより、安定した制御を行うことができる。
【００４４】
このように実施例１のＬＥＤ駆動装置及び制御回路によれば、電圧バッファアンプ１１は、ＣＰＵ１２からの増幅率制御信号に基づき調光信号のデューティが小さいとき増幅率を大きくし且つデューティが大きいとき増幅率を小さくして、ＬＥＤ負荷５に流れる直流電流に基づく電圧と基準電圧との誤差電圧を増幅する。
【００４５】
このため、デューティが小さいとき、即ち、ＬＥＤ電流が小さいとき、増幅率を大きくすることで、高精度に電圧を取り込むことができる。従って、ＬＥＤ電流が小さい場合でも高精度に調光することができる。
【００４６】
（実施例２）
図６は、本発明の実施例２に係るＬＥＤ駆動装置の構成図である。実施例１に係るＬＥＤ駆動装置では、デジタルシグナルプロセッサ１４内にオフセットレジスタ１５を設けたが、これに代えて、実施例２に係るＬＥＤ駆動装置では、Ａ／Ｄコンバータ１３ａ内にオフセット補正部１３ｂを設けたことを特徴とする。
【００４７】
オフセット補正部１３ｂは、オフセット電圧を格納する。Ａ／Ｄコンバータ１３ａは、電圧バッファアンプ１１からオフセット電圧が含まれた誤差電圧ＶＡＤをデジタル信号に変換する。その後、Ａ／Ｄコンバータ１３ａは、ＣＰＵ１２から入力される増幅率制御信号に同期した信号に基づき、変換されたデジタル信号からオフセット補正部１３ｂからのオフセット電圧を差し引きオフセット補正を行う。
【００４８】
このようにＡ／Ｄコンバータ１３ａによっても、オフセット補正を行うことができる。
【００４９】
なお、実施例２のＬＥＤ駆動装置では、オフセット電圧分の補正をＡ／Ｄコンバータ１３内で行ったが、例えば、オフセット電圧分の補正を電圧バッファアンプ１１内で行ってもよい。
【００５０】
また、実施例１及び実施例２のＬＥＤ駆動装置では、電圧バッファアンプ１１のゲインは、デューティ閾値Ｄｔｈを基準にして階段状に変化させたが、例えばデューティが小さくなるに従って、ゲインを連続的に大きくなるように変化させてもよい。
【００５１】
また、電圧バッファアンプ１１で検出端子電圧Ｖｆｂと基準電圧との誤差電圧を増幅する代わりに、電圧バッファアンプ１１で電圧Ｖｆｂを増幅し且つＤＳＰ１４で電圧Ｖｆｂに応じたデジタル値と基準値との誤差を算出するように制御回路１０を構成してもよい。
【符号の説明】
【００５２】
１  交流電源
２  全波整流回路
３  ＰＦＣ回路
４  整流平滑回路
５  ＬＥＤ負荷
６  電圧オフセット回路
１０  制御回路
１１  電圧バッファアンプ
１２  ＣＰＵ
１３，１３ａ  Ａ／Ｄコンバータ
１３ｂ  オフセット補正部
１４  デジタルシグナルプロセッサ（ＤＳＰ）
１５  オフセットレジスタ
１６  ＰＷＭ回路
Ｔ  トランス
Ｑ１  制御型パワー素子
Ｒｓ  電流検出抵抗
Ｒａ，Ｒｂ  抵抗
Ｃ２  コンデンサ
Ｔ１  端子
【図１】
2019067557.tif 000003
【図２】
2019067557.tif 000004
【図３】
2019067557.tif 000005
【図４】
2019067557.tif 000006
【図５】
2019067557.tif 000007
【図６】
2019067557.tif 000008